(57)【特許請求の範囲】
【請求項１】
窓枠等の固定面（１２）に固定される上部固定支持部材（１６ａ）と、上部可動支持部材（２２ａ）と、上部可動支持部材（２２ａ）に上端が支持されるとともに昼光（９４）を反射可能な遮蔽面（３６ａ）を構成することが可能な遮蔽材（１８）と、下部可動支持部材（２２ｂ）と、上部可動支持部材（２２ａ）に上端を連結され、下部可動支持部材（２２ｂ）に下端を接続される一対の側部可動支持部材（２２ｃ）と、上部可動支持部材（２２ａ）と下部可動支持部材（２２ｂ）と一対の側部可動支持部材（２２ｃ）とによって形成される枠体である可動支持枠（２２）の下端を回動可能に支持する下部固定支持部材（１６ｂ）と、を備え、上部固定支持部材（１６ａ）と上部可動支持部材（２２ａ）とが、互いの相対的な位置関係が変更可能となるように開閉部材（８８）によって連結されており、開閉部材（８８）を操作することにより、可動支持枠（２２）がその下端を支点として傾動し、遮蔽材（１８）の遮蔽面（３６ａ）の傾動角度が変化することで、遮蔽面で反射する昼光の角度を可変にし、遮蔽材（１８）は、上部可動支持部材（２２ａ）と側部可動支持部材（２２ｃ）と下部可動支持部材（２２ｂ）とにより画成された領域を開閉可能に遮蔽し、上部可動支持部材（２２ａ）と下部可動支持部材（２２ｂ）との間に遮蔽材の前後方向の移動を規制するガイドワイヤ（４２）が張設され、下部固定支持部材（１６ｂ）から垂下され、昼光（９４）を反射可能な遮蔽面（６６ａ）を構成することが可能であり、前記遮蔽材（１８）の遮蔽面（３６ａ）と第２遮蔽材（２０）の遮蔽面（６６ａ）とを合わせて遮蔽面を形成可能である第２遮蔽材（２０）を更に備えることを特徴とする昼光利用ブラインド。
【請求項２】
上部固定支持部材（１６ａ）には開閉部材（８８）を操作可能な操作部（８２）が設けられることを特徴とする請求項１記載の昼光利用ブラインド。
【請求項３】
上部固定支持部材（１６ａ）に上部可動支持部材（２２ａ）が接近したときには遮蔽材（１８）はほぼ垂直な角度で保持され、上部固定支持部材（１６ａ）から上部可動支持部材（２２ａ）が離間したときには遮蔽材（１８）はほぼ水平な角度で保持されるように構成されていることを特徴とする請求項１又は２記載の昼光利用ブラインド。
【請求項４】
上部可動支持部材（２２ａ）には、遮蔽材（１８）を開閉可能な駆動機構（５０）が設けられることを特徴とする請求項１ないし３のいずれか１項記載の昼光利用ブラインド。
【請求項５】
遮蔽材（１８）は回転可能な複数のスラットであり、スラットの角度を調節可能としたことを特徴とする請求項１ないし４のいずれか１項記載の昼光利用ブラインド。
【発明の詳細な説明】
【技術分野】
【０００１】
本発明は、昼光を室内に採り込んで照明として利用可能にした昼光利用ブラインドに関する。
【背景技術】
【０００２】
従来、室内照明の電力負荷を軽減させるために、昼光を室内に採り込んで照明として利用することが提案されており、その手段の１つとして建物の窓部に設けて昼光を反射させるライトシェルフが知られている。
【０００３】
このようなライトシェルフを利用した昼光利用システムとしては、特許文献１に記載されたものが知られている。この昼光利用システムにおいては、建物の窓部の外側に、この窓部の高さ方向略中間位置で窓部の間口方向に亘って略水平に取り付けられ、上面で反射させた昼光を窓部から取り込んで室内の天井面に間接照明光として照射するライトシェルフと、間隔を隔てて垂直方向に配設される複数のスラットを有して窓部の室内側に取り付けられ、ライトシェルフより上方の上窓部とライトシェルフより下方の下窓部とにおけるスラットの昇降及びスラットの角度変更がそれぞれ独立して行えるブラインドとを設けている。
【０００４】
これによって、上窓部と下窓部とにおけるスラットの昇降及びスラットの角度変更がそれぞれ独立して行われ、下窓部のスラットと上窓部のスラットとがそれぞれ調節されることで、居住者の下窓部からの視環境を妨げることなく、直射日光の遮光及び反射光の採り込みを可能にしている。
【先行技術文献】
【特許文献】
【０００５】
【特許文献１】特開２００１−３６６１号公報
【発明の概要】
【発明が解決しようとする課題】
【０００６】
しかしながら、特許文献１に記載されたようなライトシェルフは構造上、建物の設計段階において検討される製品であり、居住者の要望に応じて後から取付けることは容易ではないという問題がある。
【０００７】
また、ライトシェルフは固定的に設置されるため、例えば、冬場の暖房効率を上げるために直達日射を室内に積極的に採り込みたい場合であっても、直達日射が室外に設置されたライトシェルフによって遮られてしまうため、室内に採り込むことができる日射エネルギーが減少してしまうという不具合がある。また、ライトシェルフが水平に固定されているため、天井面に反射させる太陽光の反射量を太陽高度に応じて調整することができないという不具合もある。このように、固定的なライトシェルフでは、昼光の利用の自由度が低いという問題がある。
【０００８】
本発明はかかる課題に鑑みなされたもので、昼光を室内に採り込んで照明等として利用可能にすると共に、昼光利用の自由度がより高い昼光利用ブラインドを提供することをその目的とする。
【課題を解決するための手段】
【０００９】
前述した目的を達成するために、本発明は、窓枠等の固定面に固定される上部固定支持部材と、上部可動支持部材と、上部可動支持部材に上端が支持されるとともに昼光を反射可能な遮蔽面を構成することが可能な遮蔽材と、上部可動支持部材に上端を連結される一対の側部可動支持部材と、一対の側部可動支持部材の下端を回動可能に支持する下部支持部材と、を備え、上部固定支持部材と上部可動支持部材とが、互いの相対的な位置関係が変更可能となるように開閉部材によって連結されており、開閉部材を操作することにより、側部可動支持部材がその下端を支点として傾動し、遮蔽材の遮蔽面の傾動角度が変化することで、遮蔽面で反射する昼光の角度を可変にすることを特徴とする。
【００１０】
さらに、上部固定支持部材には開閉部材を操作可能な操作部が設けられることを特徴とする。
【００１１】
さらに、上部固定支持部材に上部可動支持部材が接近したときには遮蔽材はほぼ垂直な角度で保持され、上部固定支持部材から上部可動支持部材が離間したときには遮蔽材はほぼ水平な角度で保持されるように構成されていることを特徴とする。
【００１２】
さらに、上部可動支持部材には、遮蔽材を開閉可能な駆動機構が設けられることを特徴とする。
【００１３】
さらに、下部支持部材の下方に昼光を反射可能な遮蔽面を構成することが可能な第２遮蔽材を設け、前記遮蔽材の遮蔽面と第２遮蔽材の遮蔽面とを合わせて遮蔽面を形成可能であることを特徴とする。
【００１４】
さらに、遮蔽材は回転可能な複数のスラットであり、スラットの角度を調節可能としたことを特徴とする。
【発明の効果】
【００１５】
本発明によれば、一般的なブラインドと同様に窓枠等の固定面に上部固定支持部材を固定することにより設置することができるため、建築工事の竣工後であっても後付けが可能である。また、遮蔽材を傾動させることができるため、遮蔽材の遮蔽面で昼光を反射させて室内の天井面に照射することができ、昼光を利用して省エネルギーに貢献する既存のライトシェルフと同等の効果を得ることができる。
【００１６】
また、昼光利用が不要なときには遮蔽材を垂直な角度に保持することで、昼光利用の自由度を高めることができる。例えば、遮蔽材を開ければ日射を積極的に採り込むことができ、遮蔽材を閉じれば日射を完全に遮蔽することができる。
【００１７】
さらに、操作部の操作によって上部固定支持部材に対する上部可動支持部材の相対位置を調節可能であるため、遮蔽材の傾動角度が調節でき、太陽高度に応じた遮蔽面による室内への昼光の反射量を調節することができる。
【００１８】
また、駆動機構を操作することによって遮蔽材を開閉することができるため、昼光の反射量のより一層調節を行うことができ、遮蔽材の傾動角度を調整し、さらに遮蔽材としてのスラットの角度を調整することによって、最適な日射遮蔽と昼光導入の調整が可能となる。
【図面の簡単な説明】
【００１９】
【図１】本発明を実施した昼光利用ブラインドにおいて、第１遮蔽材を垂直に保持し、第１及び第２遮蔽材のスラットが共に垂直に回転した状態を示す全体正面図である。
【図２】第１遮蔽材が垂直に保持され、第１遮蔽材のスラットが水平に回転し、第２遮蔽材のスラットが垂直に回転した状態を示す全体正面図である。
【図３】第１遮蔽材が垂直に保持され、第１及び第２遮蔽材のスラットが共に水平に回転した状態を示す全体正面図である。
【図４】第１遮蔽材が垂直に保持され、第１遮蔽材のスラットが上昇し、第２遮蔽材のスラットが垂直に回転した状態を示す全体正面図である。
【図５】第１遮蔽材が水平に保持され、第２遮蔽材のスラットが垂直に回転した状態を示す全体正面図である。
【図６】第１遮蔽材が垂直に保持されたときの昼光利用ブラインドの断面図であり、(ａ)は第１及び第２遮蔽材のスラットが共に垂直に回転した状態を示し、(ｂ)は第１遮蔽材のスラットが水平に回転し、第２遮蔽材のスラットが垂直に回転した状態を示し、（ｃ）は第１遮蔽材のスラットが垂直に回転し、第２遮蔽材のスラットが水平に回転した状態を示し、（ｄ）は第１遮蔽材のスラットが上昇し、第２遮蔽材のスラットが垂直に回転した状態を示し、(ｅ)は第１遮蔽材のスラットが垂直に回転し、第２遮蔽材のスラットが上昇した状態を示し、（ｆ）は第１及び第２遮蔽材のスラットが共に上昇した状態を示す。
【図７】昼光利用ブラインドの断面図であり、(ａ)は第１遮蔽材が傾動した状態を示し、（ｂ）は第１遮蔽材が水平まで傾動した状態を示す。
【図８】室内に取付けられた昼光利用ブラインドの各状態における昼光の採光の状態を模式的に示す断面図であり、(ａ)は昼光利用ブラインド全体を閉鎖した状態を示し、（ｂ）は第１遮蔽材を水平に傾動し、第２遮蔽材を閉鎖した状態を示し、（ｃ）は昼光利用ブラインド全体を開放した状態を示す。
【発明を実施するための形態】
【００２０】
以下、図面を用いて本発明の実施の形態を説明する。図１は本発明の実施形態の昼光利用ブラインドの正面図である。
【００２１】
昼光利用ブラインド１０は、大略、窓枠等の固定面１２に固定される固定支持枠１６と、固定支持枠１６内に配置された可動支持枠２２と、可動支持枠２２内に配置された第１遮蔽材１８と、固定支持枠１６の下方に配置された第２遮蔽材２０と、を有する。
【００２２】
固定支持枠１６は、上枠に対応する上部固定支持部材１６ａと、下枠に対応する下部固定支持部材１６ｂと、上部固定支持部材１６ａと下部固定支持部材１６ｂとの間を上下方向に延設された一対の側部固定支持部材１６ｃ、１６ｃ、とを備える。そして、上部固定支持部材１６ａがブラケット１４によって固定面１２に取り付けられることで、固定支持枠１６は固定される。但し、これらの上部固定支持部材１６ａと下部固定支持部材１６ｂとは、固定支持枠として一体に構成される代わりに、それぞれ分離した部材として個別に固定面に固定されることも可能である。
【００２３】
可動支持枠２２は、上枠に対応する上部可動支持部材２２ａと、下枠に対応する下部可動支持部材２２ｂと、上部可動支持部材２２ａと下部可動支持部材２２ｂとの間を上下方向に延設された一対の側部可動支持部材２２ｃ、２２ｃ、とを備える。
【００２４】
下部可動支持部材２２ｂが前記固定支持枠１６の下部固定支持部材１６ｂに対してヒンジ１７によって連結されており、これによって、可動支持枠２２は固定支持枠１６のヒンジの部分を支点として、傾動可能となっている。尚、ここで、下部可動支持部材２２ｂを省略して、側部可動支持部材２２ｃの下端を直接、下部固定支持部材１６ｂに連結してもよい。
【００２５】
第１遮蔽材１８は、上部可動支持部材２２ａから垂下されるラダーコード３４によって回転可能に整列支持された多数段のスラット３６によって構成される。多数段のスラット３６は昼光を反射可能な遮蔽面３６ａを構成する。
【００２６】
最下段のスラット３６の下方にはボトムレール４０が配置されており、ラダーコード３４の下端がボトムレール４０に連結される。ボトムレール４０はこれが最下降位置まで下降した際に、下端部が下部可動支持部材２２ｂ内に挿入されるようになっている。
【００２７】
また、ボトムレール４０には昇降コード３８の下端も連結されており、昇降コード３８は多数段のスラット３６を挿通している。
【００２８】
可動支持枠２２内には、第１遮蔽材１８の開閉を行うための第１遮蔽材駆動機構５０が設けられる。第１遮蔽材１８の開閉とは、この例の場合、スラット３６の回転と昇降がある。第１遮蔽材駆動機構５０は、上部可動支持部材２２ａの図１中右側端部から垂下する操作ロッド５２と、操作ロッド５２によって回転駆動され上部可動支持部材２２ａ内を長手方向全長にわたって配設される回転軸５４と、上部可動支持部材２２ａ内に配置されるストッパ５３と、上部可能支持部材２２ａ内の長手方向に離間して複数配設され回転軸５４が一体回転可能に貫通する駆動ドラム５５と、を有する。
【００２９】
駆動ドラム５５にはラダーコード３４の上端が巻取り及び巻解き可能に連結される。操作ロッド５２を回転して回転軸５４を回転駆動し、駆動ドラム５５を回転させて、ラダーコード３４を傾動させることにより、スラット３６が回転可能である。
【００３０】
昇降コード３８は、上部可動支持部材２２ａ内に挿入された後、上部可動支持部材２２ａの長手方向に沿って配回され、ストッパ５３を介して操作ロッド５２内を垂下して操作ロッド５２の下端から導出され、操作部５６に連結される。操作部５６を昇降させて昇降コード３８を介してボトムレール４０を昇降させていくことにより、スラット３６が昇降可能である。
【００３１】
また、上部可動支持部材２２ａと下部可動支持部材２２ｂとの間には多数段のスラット３６を挿通してガイドワイヤ４２が張設されており、ガイドワイヤ４２の上端は上部可動支持部材２２ａ内の下面に固着部材５８によって固着され、ガイドワイヤ４２の下端は下部可動支持部材２２ｂ内の下面に固着部材６０によって固着される。ガイドワイヤ４２は第１遮蔽材１８の前後方向の移動を規制するため、可動支持枠２２が傾動した際もスラット３６の整列を維持することができるようになっている。
【００３２】
以上の第１遮蔽材１８と第１遮蔽材駆動機構５０とによって第１ブラインド要素が構成される。第１遮蔽材駆動機構５０は、主として可動支持枠２２に設けられているが、これに限るものではなく、可動支持枠２２とは別のヘッドボックス部材を可動支持枠２２に取り付けてヘッドボックス部材内に第１遮蔽材駆動機構５０を配置することも可能である。
【００３３】
第２遮蔽材２０は、下部固定支持部材１６ｂから垂下されるラダーコード６４によって回転可能に整列支持された多数段のスラット６６によって構成される。多数段のスラット６６は昼光を反射可能な遮蔽面６６ａを構成する。
【００３４】
最下段のスラット６６の下方にはボトムレール６８が配置されており、ラダーコード６４の下端がボトムレール６８に連結される。また、ボトムレール６８には昇降コード６２の下端も連結されており、昇降コード６２は多数段のスラット６６を挿通している。
【００３５】
固定支持枠１６の下部固定支持部材１６ｂには、第２遮蔽材２０の開閉を行うための第２遮蔽材駆動機構７０が設けられる。
【００３６】
第２遮蔽材駆動機構７０の構成は、第１遮蔽材駆動機構５０の構成と同様であるため、その詳細説明は省略するが、下部固定支持部材１６ｂの図１中右側端部からはスラット６６を回転させるための操作ロッド７２が垂下しており、また、操作ロッド７２内を昇降コード６２が通過し、操作ロッド７２の下端から導出され、操作部７４に連結される。操作ロッド７２を回転して、ラダーコード６４を傾動させることにより、スラット６６を回転可能であり、また、操作部７４を昇降させて昇降コード６２を介してボトムレール６８を昇降させていくことにより、スラット６６が昇降可能である。
【００３７】
以上の第２遮蔽材２０と第２遮蔽材駆動機構７０とによって第２ブラインド要素が構成される。第２遮蔽材駆動機構７０は、主として固定枠１６の下部固定支持部材１６ｂに設けられているが、これに限るものではなく、下部固定支持部材１６ｂとは別のヘッドボックス部材を固定枠１６の下部に取り付けてヘッドボックス部材内に第２遮蔽材駆動機構７０を配置することも可能である。
【００３８】
なお、第２ブラインド要素は第１ブラインド要素とは相違し、ガイドワイヤ４２、固着部材５８、６０は設けられていない。
【００３９】
固定支持枠１６の上部固定支持部材１６ａの図１中右端部からは、操作コード８０が垂下しており、操作コード８０は上部固定支持部材１６ａ内に配設される操作部８２を回転操作可能となっている。操作部８２は、上部固定支持部材１６ａの長手方向全長にわたって配設される回転軸８４と、上部固定支持部材１６ａ内の長手方向に離間して複数配設され、回転軸８４が一体回転可能に貫通する回転ドラム８６と、回転軸８４を操作コード８０による操作によってのみ回転するように規制する図示しない一方向クラッチを備える。回転ドラム８６にはコード状の開閉部材８８の一端が巻取り及び巻解き可能に連結されている。
【００４０】
開閉部材８８の他端は上部固定支持部材１６ａから導出されて、可動支持枠２２の上部可動支持部材２２ａに連結される。こうして、開閉部材８８によって、上部可動支持部材２２ａは上部固定支持部材１６ａに対して相対的な位置関係が変更可能となるように連結されている。
【００４１】
第１遮蔽材１８は、上部固定支持部材１６ａに上部可動支持部材２２ａが接近したときにはほぼ垂直な角度で保持され、上部固定支持部材１６ａから上部可動支持部材２２ａが最も離間したときにはほぼ水平な角度で保持される。
【００４２】
次に、昼光利用ブラインド１０の作用について説明する。
【００４３】
昼光を積極的に照明として利用する必要のない場合には、昼光利用ブラインド１０は、通常のブラインドとして動作させることができる。この場合には、上部固定支持部材１６ａに上部可動支持部材２２ａが最も接近した状態にあり、第１遮蔽材１８が垂直に保持された状態にある（図８（ａ））。
【００４４】
この状態において、図１及び図６(ａ)に示すように、第１遮蔽材１８及び第２遮蔽材２０ともにスラット３６及び６６が垂直に回転した状態のときには、窓９２を通過した昼光９４はスラット３６及び６６によって室内９６への侵入が遮られ、夏場等の冷房負荷を軽減させることができる（図８（ａ）参照）。
【００４５】
また、図１に示すブラインド１０の状態から操作ロッド５２を回転させてスラット３６を回転させることにより、上部にある第１遮蔽材１８のみから採光可能な状態とすることができる。図２及び図６(ｂ)に示すように、スラット３６を水平になるまで、あるいはスラット３６を室内９６側にやや傾斜するように回転させると、第１遮蔽材１８であるスラット３６が下降している状態において採光できる状態となる。
【００４６】
一方、図１に示すブラインド１０の状態から操作ロッド７２を回転させてスラット６６を回転させることにより、下部にある第２遮蔽材２０のみから採光可能な状態となる。そして、図６(ｃ)に示すように、スラット６６を水平になるまで、あるいはスラット３６を室内９６側にやや傾斜するように回転させると、第２遮蔽材２０であるスラット６６が下降している状態において採光できる状態となる。また、太陽高度に応じてスラット６６の角度を適宜調整することによって、第２遮蔽材２０からの採光を可能としながら、直射日光を遮蔽しつつ不快グレアを防止することも可能となる。
【００４７】
また、図３に示すように、第１遮蔽材１８のスラット３６及び第２遮蔽材２０のスラット６６の両方を水平になるまで、あるいはスラット３６を室内９６側にやや傾斜するように回転させると、第１及び第２遮蔽材１８及び２０のスラット３６及び６６が共に下降した状態において採光できる状態となる。これにより、窓９２を通過した昼光９４は各スラット３６及び６６の間を通って室内９６へ侵入し、ブラインド全体として採光可能な状態となる（図８（ｃ））。よって、直達日射を室内に大量に採り込むことができるため、日射エネルギーを最大限に利用することができ、冬場等に暖房効率を上げるのに供することができる。また、太陽高度に応じて第１遮蔽材１８のスラット３６及び第２遮蔽材２０のスラット６６の角度を適宜調整することによって、ブラインド全体からの採光を可能としながら、直射日光を遮蔽しつつ不快グレアを防止することも可能となる。
【００４８】
また、図１に示すブラインド１０の状態から操作部５６を引き下げ、図４及び図６(ｄ)に示すように、スラット３６を上昇させて第１遮蔽材１８を完全に上昇させることができる。または、ボトムレール４０が任意の高さにあるときに、昇降コード３８の上昇操作を止めると、ストッパ５３が昇降コード３８の移動を拘束し、スラット３６を任意の高さに停止させることができる。
【００４９】
一方、図６(ｅ)に示すように、図１に示すブラインド１０の状態から操作部７４を引き下げ、図６(ｅ)に示すように、スラット６６を上昇させて第２遮蔽材２０を完全に上昇させることができる。または、ボトムレール６８が任意の高さにあるときに、昇降コード６２の上昇操作を止めると、図示しないストッパが昇降コード６２の移動を拘束し、スラット６６を任意の高さに停止させることができる。
【００５０】
または、図６（ｆ）に示すように、第１遮蔽材１８のスラット３６及び第２遮蔽材２０のスラット６６の両方を完全に上昇させることで、窓９２を完全に開放することもできる。よって、直達日射を室内に大量に採り込むことができるため、日射エネルギーを最大限に利用することができ、冬場等に暖房効率を上げるのに供することができる。
【００５１】
次に、太陽を積極的に照明として利用したい場合には、操作コード８０を操作して操作部８２を操作することにより回転軸８４を回転駆動させ、これと一体に回転する回転ドラム８６を開閉部材８８を巻解く方向に回転させる。これにより、図７(ａ)に示すように、巻解かれた開閉部材８８の長さ分だけ上部固定支持部材１６ａと上部可動支持部材２２ａとの間隔が離間していき、ヒンジ１７を支点として可動支持枠２２及び第１遮蔽材１８が室内９６側に傾動していくことができる。
【００５２】
引き続き、開閉部材８８の巻解き操作を続けると、図５及び図７(ｂ)に示すように、第１遮蔽材１８が水平な角度になるまで傾動することができる。
【００５３】
操作コード８０の操作量を適宜、調整することで、第１遮蔽材１８が垂直な状態から水平な状態の間の任意の傾動角度に第１遮蔽材１８を保持することができる。
【００５４】
このように、第１遮蔽材１８を傾動させると、図８(ｂ)に示すように、窓９２を通過した昼光９４は、その上部については、第１遮蔽材１８の遮蔽面３６ａに反射して天井面９８に照射され、下部については、第２遮蔽材２０の遮蔽面６６ａによって室内９６への侵入が遮られる。
【００５５】
天井面９８に照射された昼光９４は、さらに天井面９８で反射することにより、室内９６における間接照明として利用することができる。こうして、室内照明の電力負荷軽減に貢献することができる。
【００５６】
操作コード８０を操作して、第１遮蔽材１８及び可動支持枠２２の傾動角度を前記水平ではなく他の角度とすることにより、遮蔽面３６ａでの昼光９４の反射角度を変化させ、採光量を調節することもできる。特に太陽高度が低い場合には、第１遮蔽材１８及び可動支持枠２２の傾動角度を水平よりも立ち上がった角度とすることによって、効率的に昼光を反射させることができる。また、傾動させた第１遮蔽材１８のスラット３６を回転させることにより、昼光９４の反射角度を変化させるとともにスラット３６間を侵入する昼光９４を調節し、室内９６への採光量を調節することもできる。
【００５７】
また任意には、太陽高度が下がり、スラット３６間に形成される隙間から室内に直射日光が入射してしまうような場合には、第１遮蔽材１８及び可動支持枠２２の傾動角度を調節し、さらにスラット３６を回転することにより直射日光の入射を防止することもできる。また、第１遮蔽材１８の状態に加え、第２遮蔽材２０のスラット６６の傾斜角度を変更することにより、室内９６への採光量を更に調節することができる。さらに、太陽高度に応じて第１遮蔽材１８のスラット３６及び／または第２遮蔽材２０のスラット６６の角度を適宜調整することによって、室内９６への採光量を調整可能としながら、直射日光を遮蔽しつつ不快グレアを防止することも可能となる。
【００５８】
このように、太陽高度に応じて第１遮蔽材１８及び可動支持枠２２の傾動角度を変更する、あるいは第１遮蔽材１８のスラット３６の角度を調整することによって、最適な日射遮蔽と昼光導入の調整を行うことができる。
【００５９】
以上の昼光利用ブラインド１０は、窓枠１２の固定面に取り付けることで、昼光を利用したい希望の窓に後付けすることができる。また、昼光を照明として利用せずに、単に室内９６への採光量を調整したい場合には、第１遮蔽材１８を垂直に保持された状態とすることで、通常と同様のブラインドとして使用することができ、昼光利用の自由度を高めることができる。さらに、第２遮蔽材２０を下部に設けた場合には、上述のように様々な各遮蔽材１８、２０の様々な状態を組み合わせることにより、様々に採光することが可能である。尚、以上の状態は例示であり、それ以外の状態の組み合わせとすることも勿論可能である。
【００６０】
さらには、以上の実施形態では、操作は全て手動で行うものであったが、これに限るものではなく、少なくとも一部の操作を電動で行うようにしてもよく、そのためには例えば、回転軸８４を回転させる電動アクチュエータを設けるようにすればよい。電動アクチュエータの制御は、コンピュータシステムからの信号または手動で行うことができる。
【００６１】
また、以上の実施形態では、遮蔽材は、多数段のスラットで構成されていたが、これに限るものではなく、任意のスクリーン、例えば平坦なまたは規則的若しくは不規則な襞が形成されたスクリーンで構成することも可能である。
【００６２】
また、以上の実施形態では、昼光利用ブラインドが第１遮蔽材と第２遮蔽材とを有していたが、これに限るものではなく、第１遮蔽材だけを有するようにすることも可能である。
【００６３】
さらには、以上の実施形態では、第１遮蔽材を支持する下部支持部材としての下部固定支持部材１６ｂは固定であったが、これに限るものではなく、下部支持部材自身の高さを調整可能にすることもできる。この場合には、太陽の高度に合わせて反射するのに適した高さに下部支持部材を設けるようにしてもよい。また、下部支持部材の移動に合わせて遮蔽材１８は伸縮可能に構成すると好ましい。
【符号の説明】
【００６４】
１２  固定面
１６ａ  上部固定支持部材
１６ｂ  下部固定支持部材（下部支持部材）
１８  第１遮蔽材
２０  第２遮蔽材
２２ａ  上部可動支持部材
２２ｃ  側部可動支持部材
３６  スラット(遮蔽材)
３６ａ  遮蔽面
５０  第１遮蔽材駆動機構
６６  スラット(第２遮蔽材)
６６ａ  遮蔽面
８２  操作部
８８  開閉部材
９４  昼光
９６  室内
【図１】
0005770489.tif 000002
【図２】
0005770489.tif 000003
【図３】
0005770489.tif 000004
【図４】
0005770489.tif 000005
【図５】
0005770489.tif 000006
【図６】
0005770489.tif 000007
【図７】
0005770489.tif 000008
【図８】
0005770489.tif 000009